【手続補正書】
【提出日】平成17年7月5日(2005.7.5)
【手続補正１】
【補正対象書類名】特許請求の範囲
【補正対象項目名】全文
【補正方法】変更
【補正の内容】
【特許請求の範囲】
【請求項１】
手袋様装具；
面上でのトラッキング装置の動作に対応した動作信号を発生させるために前記手袋に取り付けられたトラッキング装置；
第１スイッチ信号を提供するために、前記手袋に取り付けられた第１プレッシャープレート；及び
前記トラッキング装置からの前記動作信号、及び前記第１プレッシャープレートからの前記第１スイッチ信号を、コンピュータに送信するために、前記手袋に取り付けられたトランスミッタ媒体、を含み：
前記トラッキング装置からの動作信号が、前記コンピュータのビデオディスプレイ上のカーソルの動作を制御するために使用され、前記第１スイッチ信号が、マウスクリック機能を制御するために使用される、
コンピュータ入力装置。
【請求項２】
前記手袋が、少なくとも２つの指の付属部を有し、前記トラッキング装置が一つ目の指の付属部に取り付けられ、前記第１プレッシャープレートが二つ目の指の付属部に取り付けられた、請求項１に記載のコンピュータ入力装置。
【請求項３】
前記手袋が、第２スイッチ信号を提供する第２プレッシャープレートを有する三つ目の指の付属部を含有し、前記トランスミッタ媒体が、マウスクリック機能を制御するために、前記第２スイッチ信号を前記第２プレッシャープレートから前記コンピュータに送信する、請求項２に記載のコンピュータ入力装置。
【請求項４】
スクロール／ページ信号を発生させるために、前記手袋上にスクロール／ページボタンを更に含有し、前記トランスミッタ媒体もまた、上下スクロール及びページ機能を制御するために前記スクロール／ページ信号を前記コンピュータに送信する、請求項１〜３の何れか一に記載のコンピュータ入力装置。
【請求項５】
前記スクロール／ページボタンが：
前記スクロールとページ機能間切替のためのスクロール／ページスイッチ；
スクロール／ページアップボタン；及び
スクロール／ページダウンボタンを含む、
請求項４に記載のコンピュータ入力装置。
【請求項６】
前記トラッキング装置が、光学式トラッキング装置である請求項１〜５の何れか一に記載のコンピュータ入力装置。
【請求項７】
前記トラッキング装置が、マイクロローラーボールである請求項１〜５の何れか一に記載のコンピュータ入力装置。
【請求項８】
前記トラッキング装置が、面に接していない時に、前記トラッキング装置及び前記第１プレッシャープレートを自動的に非作動とし、前記トラッキング装置が前記面に接するときに、前記トラッキング装置及び前記第１プレッシャープレートを自動的に作動させる入／切スイッチ媒体を含有する請求項１〜７の何れか一に記載のコンピュータ入力装置。
【請求項９】
前記トラッキング装置が、前記面上でのトラッキング装置の円滑で一定の動きを提供し、前記トラッキング装置と前記面間の一定の距離及び一律の接触を保持するベースプレートを含有する請求項１〜８の何れか一に記載のコンピュータ入力装置。
【請求項１０】
前記トランスミッタが、無線周波数トランスミッタである請求項１〜９の何れか一に記載のコンピュータ入力装置。
【請求項１１】
前記トランスミッタが、赤外線トランスミッタである請求項１〜９の何れか一に記載のコンピュータ入力装置。
【請求項１２】
前記トランスミッタが、再充電可能な電源を含有する請求項１〜１１の何れか一に記載のコンピュータ入力装置。
【請求項１３】
前記手袋様装具が、ユーザの手の大きさに調節可能である請求項１〜１２の何れか一に記載のコンピュータ入力装置。
【請求項１４】
前記手袋様装具が、ユーザの緊張を最小にし、ユーザの作業効率及び快適性を最大とする詰め物（パッド）の手掌部を含有する請求項１〜１３の何れか一に記載のコンピュータ入力装置。
【請求項１５】
前記手袋が、外装面を有し、前記手袋の外装面の一部は手袋が面上を容易に滑ることが出来る低摩擦素材を含む請求項１〜１４の何れか一に記載のコンピュータ入力装置。
【請求項１６】
前記手袋が、内装面を有し、前記手袋とユーザの手の間に摩擦を発生させて、前記トラッキング装置及び前記プレッシャープレートを正確に配置させることが出来、前記トラッキング装置及びプレッシャープレートが使用中にずれるのを防ぐために、前記手袋の内装面の一部が高摩擦素材を含む、請求項１〜１５の何れか一に記載のコンピュータ入力装置。
【請求項１７】
前記トラッキング装置及び前記プレッシャープレートが、前記手袋がユーザの手に装着されている際に、ユーザが全指でキーボードにタイプできるよう配置された請求項１〜１６の何れか一に記載のコンピュータ入力装置。
【請求項１８】
ユーザの手に装着される少なくとも３つの指の付属部を有する手袋様装具；
一つ目の前記指の付属部に取り付けられた、面上での前記トラッキング装置の動作に対応した動作信号を発生するためのトラッキング装置；
二つ目の前記指の付属部に取り付けられた、第１スイッチ信号を提供するための第１プレッシャープレート；
三つ目の前記指の付属部に取り付けられた、第２スイッチ信号を提供するための第２プレッシャープレート；
前記トラッキング装置からの前記動作信号及び前記プレッシャープレートからの前記第１、第２スイッチ信号をコンピュータに送信するトランスミッタ媒体、を含み：
トラッキング装置からの前記動作信号が前記コンピュータのビデオディスプレイ上のカーソル動作を制御するために使用され、前記第１、第２スイッチ信号がマウスクリック機能を制御するために使用される、
コンピュータ入力装置。
【請求項１９】
ユーザの手に装着される少なくとも３つの指の付属部を有する手袋様装具；
一つ目の前記付属部に取り付けられたベースプレートに囲まれた光学式トラッキング装置であって、前記トラッキング装置は面上の前記トラッキング装置の動作に対応した動作信号を発生させる；
二つ目の前記指の付属部に取り付けられた、第１スイッチ信号を提供するための第１プレッシャープレート；
三つ目の前記指の付属部に取り付けられた、第２スイッチ信号を提供するための第２プレッシャープレート；
前記トラッキング装置が前記面と接していない時に自動的に前記トラッキング装置及び前記プレッシャースイッチプレートを非作動とし、前記トラッキング装置が前記面と接しているときに、自動的に前記トラッキング装置及び前記プレッシャースイッチプレートを作動させる入／切スイッチ媒体；及び
前記トラッキング装置からの動作信号及び前記第１、第２プレッシャープレートからのスイッチ信号をコンピュータに送信するトランスミッタ媒体、を含み：
前記トラッキング装置及び前記プレッシャープレートが前記手袋に配置され、よって前記ユーザは前記手袋装着時に全指でキーボードにタイプすることができ、
前記トラッキング装置からの動作信号が前記コンピュータのビデオディスプレイ上のカーソル動作を制御するために使用され、前記第１、第２スイッチ信号がマウスクリック機能を制御するために使用される、
コンピュータ入力装置。
【手続補正２】
【補正対象書類名】明細書
【補正対象項目名】００２２
【補正方法】変更
【補正の内容】
【００２２】
耐久性、伸縮性を最大化し、重量を最小化させる為には、布地の全体的な厚みは好ましくは、０．８ｍｍから１．４ｍｍである。ストラップ１６は手袋１４をユーザの手首に固定させ、ベルクロ（商標）、ストラップ、フック及びアイレット、又はボタン／留め金機構といった適当な調節可能な固定装置であればよい。これら全ての特徴により、本発明のコンピュータ入力装置１０をほぼ無限範囲の手の大きさに快適に適合させることができる。